(57)【特許請求の範囲】
【請求項１】
開閉可能に連結部により端部同士が連結された第１筐体及び第２筐体と、前記第１筐体又は第２筐体に配設されるアンテナと、当該アンテナを介して通信を行う通信手段とを備えた通信端末装置と、
前記通信端末装置の前記第１筐体を載置可能な載置部、及び前記通信端末装置により入力される音響信号に応じて音を出力する第１スピーカーを有するクレードル装置と、
を備え、
前記第１筐体は、開状態及び閉状態の何れの状態でも、前記載置部に載置可能であり、
前記第１スピーカーは、前記第１筐体が前記載置部に載置された状態において前記第１筐体に対して前記連結部側となる位置に配置され、
前記アンテナは、前記第１筐体又は第２筐体の、前記連結部とは反対側の端部に配置されている
ことを特徴とする音響装置。
【請求項２】
前記アンテナは、前記第１筐体が前記載置部に載置された状態において、前記第１スピーカーの鉛直方向の配置位置と異なる鉛直方向の位置に配置されている
ことを特徴とする請求項１に記載の音響装置。
【請求項３】
前記アンテナは、前記第２筐体の前記連結部とは反対側の端部に配置されて、前記第１筐体が前記載置部に載置された状態において、前記第１スピーカーの鉛直方向の配置位置と異なる鉛直方向の位置に配置され、前記筐体の開閉に伴い前記第１スピーカーに対する鉛直方向の位置が変化する
ことを特徴とする請求項１に記載の音響装置。
【請求項４】
前記クレードル装置は、前記載置部を有し、前記第１スピーカーが配設される第３筐体を有し、
前記第３筐体は、前記第１筐体を前記連結部側が上方側となるように傾斜して支持可能に前記第１スピーカー側が前記第１スピーカーとは反対側よりも鉛直方向において厚く形成されており、
前記第１スピーカーは、前記第３筐体のうち鉛直方向の上方寄りに配置されている
請求項１〜３のいずれか１項に記載の音響装置。
【請求項５】
前記通信端末装置は、前記第１筐体に配設され、前記音響信号を出力可能な第１端子を有し、
前記クレードル装置は、前記載置部に配設され、前記第１筐体が前記載置部に載置された状態において前記第１端子に当接する第２端子を有し、
前記第１端子は、前記第１筐体のうち前記連結部寄りに配置されている
請求項１〜４のいずれか１項に記載の音響装置。
【請求項６】
前記通信端末装置は、前記第１筐体のうち前記連結部寄りに配置された第２スピーカーを有する
請求項１〜５のいずれか１項に記載の音響装置。
【発明の詳細な説明】
【技術分野】
【０００１】
本発明は、例えば、携帯電話機やコードレス電話子機等の通信端末装置、該通信端末装置が載置されるクレードル装置、及び、該通信端末装置及びクレードル装置を備えた音響装置に関する。
【背景技術】
【０００２】
携帯電話機等の通信端末装置をクレードル装置に載置する技術が知られている。クレードル装置としては、例えば携帯電話機を充電する機能を有したものが広く普及している。特許文献１では、クレードル装置にスピーカーを搭載し、携帯電話機の充電中に携帯電話機からの音響信号を当該スピーカーにより再生する技術が開示されている。
【特許文献１】特開２００３−３２３５１号公報
【発明の開示】
【発明が解決しようとする課題】
【０００３】
しかし、通信端末装置をクレードル装置に載置したときに、通信端末装置のアンテナがクレードル装置のスピーカーに近接すると、スピーカーに配された金属物の影響により、アンテナ利得が低下する。
【０００４】
本発明の目的は、クレードル装置のスピーカーが通信端末装置のアンテナ利得に及ぼす影響を抑制できる通信端末装置、クレードル装置及び音響装置を提供することにある。
【課題を解決するための手段】
【０００５】
本発明の通信端末装置は、音響信号を変換して出力するスピーカーに対して所定の位置関係で配置可能な筐体と、前記筐体に配置され、当該筐体が前記スピーカーに対して前記所定の位置関係で配置されたときに、前記音響信号を前記スピーカーに出力可能な音響出力手段と、前記筐体に配置された通信用のアンテナと、を備え、前記アンテナは、前記筐体が前記スピーカーに対して前記所定の位置関係で配置されたときに、前記筐体のなかで前記スピーカーから離れた位置に配置されている。
【０００６】
好適には、前記筐体は、第１筐体と、前記第１筐体に対して開閉可能に連結される第２筐体と、を備え、前記第１筐体は、開状態及び閉状態の何れの状態でも、前記スピーカーに対して前記所定の位置関係で配置可能であり、前記アンテナは、前記第１筐体に配置されている。
【０００７】
好適には、前記筐体は、前記スピーカーに対して前記所定の位置関係で配置可能な第１筐体と、前記第１筐体に対して開閉可能に連結された第２筐体と、を備え、前記第１筐体が前記所定の位置関係で配置された状態で前記第２筐体を開閉可能に構成され、前記アンテナは、前記第２筐体のうち、前記第１筐体が前記所定の位置関係で配置された状態での前記開閉に伴い前記スピーカーに対する位置が変化する部位に配置されている。
【０００８】
好適には、前記アンテナは、前記筐体が前記所定の位置関係で配置された状態において、前記スピーカーの鉛直方向の配置位置と異なる鉛直方向の位置に配置されている。
【０００９】
好適には、前記筐体は、前記スピーカーに対して前記所定の位置関係で配置可能な第１筐体と、前記第１筐体に対して開閉可能に連結された第２筐体と、を備え、前記第１筐体が前記所定の位置関係で配置された状態で前記第２筐体を開閉可能に構成され、前記アンテナは、前記第２筐体のうち、前記第１筐体が前記所定の位置関係で配置された状態での前記開閉に伴い前記スピーカーに対する鉛直方向の位置が変化する部位に配置されている。
【００１０】
本発明のクレードル装置は、アンテナを備えた通信端末装置の筐体が載置される載置部と、前記通信端末装置により入力される音響信号に応じて音を出力するスピーカーとを備え、前記スピーカーは、前記筐体が前記載置部に載置された状態において、前記アンテナに対して離間される位置に配置されている。
【００１１】
好適には、前記スピーカーは、前記筐体が前記載置部に載置されたときに前記アンテナの鉛直方向の配置位置と異なる鉛直方向の位置に配置されている。
【００１２】
本発明の音響装置は、筐体、当該筐体に配設されるアンテナ、及び当該アンテナを介して通信を行う通信手段を備えた通信端末装置と、前記通信端末装置の前記筐体を載置可能な載置部、及び前記通信端末装置により入力される音響信号に応じて音を出力するスピーカーを有するクレードル装置と、を備え、前記スピーカーが前記クレードル装置のなかで前記アンテナから離れた位置に配置される、若しくは、前記アンテナが前記筐体のなかで前記スピーカーから離れた位置に配置されるように構成されている。
【発明の効果】
【００１３】
本発明によれば、クレードル装置のスピーカーが通信端末装置のアンテナ利得に及ぼす影響を抑制できる。
【発明を実施するための最良の形態】
【００１４】
（第１の実施形態）
図１は、本発明の第１の実施形態に係る携帯電話機２及びクレードル装置３を示す一部に透視図を含む平面図であり、図１（ａ）はクレードル装置３を示し、図１（ｂ）は閉状態の携帯電話機２を示し、図１（ｃ）は開状態の携帯電話機２を示している。
【００１５】
図２は、携帯電話機２をクレードル装置３に載置した状態を示す一部に透視図を含む平面図であり、図２（ａ）は携帯電話機２を閉状態にした場合を、図２（ｂ）は携帯電話機２を開状態にした場合を示している。
【００１６】
図３は、携帯電話機２をクレードル装置３に載置した状態を示す一部に透視図を含む側面図であり、図３（ａ）は携帯電話機２を閉状態にした場合を、図３（ｂ）は携帯電話機２を開状態にした場合を示している。
【００１７】
なお、携帯電話機２及びクレードル装置３の組み合わせにより、音響装置１が構成されている。
【００１８】
携帯電話機２は、いわゆる折り畳み式の携帯電話機として構成されており、受話筐体（第２筐体）５と、送話筐体（第１筐体）６とを備えている。受話筐体５及び送話筐体６は、それぞれの端部が連結部７により連結されており、携帯電話機２は、連結部７を回動の中心として開閉可能である。受話筐体５及び送話筐体６は、それぞれ概ね薄型直方体に形成されており、閉状態では互いに重ね合わされ、一方の筐体側から他方の筐体側を見たときに互いの輪郭が略一致するようになっている。
【００１９】
受話筐体５は、例えば樹脂により略薄型直方体状に形成されている。受話筐体５には、閉状態で送話筐体６に対向する対向面に画像を表示する表示部９が設けられている。表示部９は、例えば液晶表示ディスプレイによって構成されている。なお、受話筐体５には、この他、通話用のスピーカー３９（図４参照）が設けられ、当該スピーカーの放音口１０が対向面に設けられている。
【００２０】
送話筐体６は、例えば樹脂により略薄型直方体状に形成されている。送話筐体６には、ユーザの操作を受け付ける操作部１２、電波の送受信を行うメインアンテナ１３及びサブアンテナ１４、報知音等を出力するスピーカー１５、通話用のマイクロフォン３５（図４参照）、マイクロフォン３５の導音孔１６が設けられている。
【００２１】
メインアンテナ１３は、送話筐体６の連結部７とは反対側の端部に内蔵されている。サブアンテナ１４は、送話筐体６の側面側であって、送話筐体６中央とメインアンテナ１３との間の位置において、送話筐体６に内蔵されている。メインアンテナ１３及びサブアンテナ１４はダイバーシティアンテナとして構成されている。例えば、メインアンテナ１３は、送受話やメールの送受信等に用いられ、常時利用される。サブアンテナ１４は、音楽をダウンロードして再生するときなど、音声通話時以外のデータ通信が行われるときにメインアンテナ１３と併せて利用される。
【００２２】
スピーカー１５は、送話筐体６の連結部７側の端部に内蔵され、送話筐体６の側方側に２つ設けられている。送話筐体６の連結部７側の端部には、受話筐体５と対向する面とは反対側の面（クレードル装置に対向する面）に開口し、スピーカー１５の出力した音響を放音する放音孔１７が設けられている。スピーカー１５は、例えば、着信や誤操作等を知らせる報知音の出力、ハンズフリー機能を利用して通話する際における通話相手の音声の出力、音楽や映画再生における音響出力に用いられるものである。
【００２３】
クレードル装置３は、筐体１８と、クレードル装置３に電力を供給するためのコード１９と、クレードル装置３と携帯電話機２とを電気的に接続するための充電端子２０、２１及び音響信号端子（入力部）２２と、携帯電話機２から入力された音響信号に基づく音響を出力するスピーカー２３とを備えている。
【００２４】
筐体１８は、例えば、机上などに載置される下部カバー１８ａと、下部カバー１８ａに被せられる上部カバー１８ｂとを備えている。下部カバー１８ａ及び上部カバー１８ｂは例えば樹脂により形成されている。上部カバー１８ｂは、筐体１８が載置される面に対して傾斜するように下部カバー１８ａに被せられており、筐体１８は、全体として、載置される面（机面等）に対して傾斜する傾斜面１８ｃを有する台形状に形成されている。
【００２５】
筐体１８の上面には、携帯電話機２を載置するための凹部（載置部）２５が形成されている。凹部２５は、傾斜面１８ｃの下方側に設けられている。凹部２５は、携帯電話機２の送話筐体６が嵌合する形状に形成されるとともに、送話筐体６の背面が当接する底部が、クレードル装置３が載置される面（机面等）に対して傾斜するように形成されている。携帯電話機２は、連結部７側を傾斜面１８ｃの上方側に向けて、送話筐体６が凹部２５に嵌合挿入されることにより、クレードル装置３に載置されている。
【００２６】
なお、送話筐体６のクレードル装置３の筐体１８に対する配置位置は凹部２５に規定され、スピーカー２３の配置位置はクレードル装置３の筐体１８に対して固定されている。すなわち、送話筐体６を凹部２５に載置したときの送話筐体６のスピーカー２３に対する位置関係は一定であり、当該位置関係は、本発明の所定の位置関係の一例である。
【００２７】
図３（ａ）及び図３（ｂ）に示すように、凹部２５の深さは送話筐体６の厚さと略同等又はそれ以下である。従って、携帯電話機２を凹部２５内に載置した状態で、携帯電話機２を開閉しても、傾斜面１８ｃの凹部２５周縁は受話筐体５に当接せず、携帯電話機２の開閉は妨げられない。
【００２８】
コード１９は、筐体１８から延出しており、その先端には、不図示の電源プラグが設けられている。電源プラグが、商用周波数の電力を供給するための電源レセプタクルに挿入されることにより、コード１９を介してクレードル装置３に電力が供給される。
【００２９】
充電端子２０、２１は、凹部２５の底部から突出するように設けられており、携帯電話機２を凹部２５に嵌合挿入すると、携帯電話機２の送話筐体６に設けられた充電端子３７（図４参照）に当接して接続される。
【００３０】
音響信号端子２２は、凹部２５の底部から突出するように設けられている。また、充電端子２０、２１に隣接して設けられている。音響信号端子２２は、携帯電話機２を凹部２５に嵌合挿入すると、携帯電話機２の送話筐体６に設けられた音響信号端子（出力部）３６（図４参照）に当接して接続される。
【００３１】
スピーカー２３は、凹部２５よりも傾斜面１８ｃの上方側に設けられている。スピーカー２３は、放音面が傾斜面１８ｃの裏面に対向するように（上方を向くように）配置されており、傾斜面１８ｃには、スピーカー２３により出力された音響を放音するための放音孔２４が設けられている。
【００３２】
なお、携帯電話機２は、連結部７をスピーカー２３に向けて凹部２５に載置され、連結部７とは反対側の端部側にメインアンテナ１３及びサブアンテナ１４が設けられているから、メインアンテナ１３及びサブアンテナ１４は、携帯電話機２の筐体のなかで、スピーカー２３に離れた位置に配置されていることになる。
【００３３】
また、スピーカー２３は、傾斜面１８ｃの上方側に設けられ、メインアンテナ１３及びサブアンテナ１４は、傾斜面１８ｃの下方側に設けられているから、メインアンテナ１３及びサブアンテナ１４はスピーカー２３よりも鉛直方向において若干下方の位置（異なる位置）に配置されている。
【００３４】
なお、メインアンテナ１３及びサブアンテナ１４のうち、いずれか一方のみをスピーカー２３から離れた位置やスピーカー２３の配置位置と鉛直方向において異なる位置に配置してもよい。
【００３５】
図４は、携帯電話機２及びクレードル装置３の信号処理系の構成を示すブロック図である。
【００３６】
携帯電話機２は、各種電子素子の動作を制御する制御部３１と、無線通信を行うための通信処理部（通信手段）３２と、音響出力に係る処理を行う音響処理部（音響出力手段）３３と、充電回路３４とを備えている。なお、携帯電話機２は、この他にも、制御部３１からの映像データを映像信号に変換して表示部９に出力する画像処理部等の種々の手段を備えるが図示は省略する。
【００３７】
制御部３１は、例えばＣＰＵ、ＲＯＭ、ＲＡＭ等を含んだＩＣにより構成されており、ＣＰＵはＲＯＭに記録されたプログラムを実行し、操作部１２からの信号等に基づいて通信処理部３２、音響処理部３３等の動作を制御する。
【００３８】
通信処理部３２は、高周波回路を含んで構成され、電波を利用した無線通信を行う。具体的には、通信処理部３２は、制御部３１等で処理された音響データ、画像データ等の各種データを変調して、メインアンテナ１３を介して送信する。また、通信処理部３２は、メインアンテナ１３及びサブアンテナ１４を介して受信した信号を復調して制御部３１等に出力する。
【００３９】
音響処理部３３は、マイクロフォン３５からの音響信号、外部記憶装置に記憶された楽曲データに基づく音響信号等をミキシング、増幅するなどして、通話用のスピーカー３９、報知等に利用されるスピーカー１５及び音響信号端子３６に出力する。
【００４０】
充電回路３４は、充電端子３７に供給された電力を適宜な電圧の電力に変換して、携帯電話機２の電源としてのバッテリ３８に供給する。また、バッテリ３８の充電状態等に応じてバッテリ３８への充電（電力供給）を開始したり、充電の中断を行う。
【００４１】
クレードル装置３は、増幅器５１、充電器（ＡＣコンバータ）５２を備えている。増幅器５１は、音響信号端子２２を介して携帯電話機２から入力された音響信号を増幅してスピーカー２３に出力する。充電器５２は、コード１９を介して供給された商用周波数の交流電流を適宜な電圧の直流電流に変換して充電端子２０、２１に出力する。なお、クレードル装置３は充電機能を有していなくてもよい。
【００４２】
以上の構成を有する携帯電話機２及びクレードル装置３では、メインアンテナ１３やサブアンテナ１４が、送話筐体６をクレードル装置３の凹部２５に載置したときに携帯電話機２の筐体のなかでクレードル装置３のスピーカー２３から離れた位置に配置されるので、スピーカー２３がアンテナ利得に与える影響を抑制できる。
【００４３】
携帯電話機２は、開状態及び閉状態の何れの状態でもクレードル装置３の凹部２５に送話筐体６を載置可能に構成され、メインアンテナ１３やサブアンテナ１４は、送話筐体６に配置されているから、開状態及び閉状態の何れの状態においてもメインアンテナ１３やサブアンテナ１４がクレードル装置３のスピーカー２３から離れた位置に配置され、アンテナ利得に与える影響が抑制される。
【００４４】
メインアンテナ１３及びサブアンテナ１４は、クレードル装置３のスピーカー２３の鉛直方向の配置位置と異なる鉛直方向の位置に配置されるから、水平方向においてスピーカー２３がアンテナ利得に及ぼす影響が抑制され、スピーカー２３がメインアンテナ１３及びサブアンテナ１４の指向性に及ぼす影響が抑制され、指向性を一様にすることが容易になる。
【００４５】
（第２の実施形態）
図５は、本発明の第２の実施形態に係る携帯電話機１０２及びクレードル装置３を備えた音響装置１０１を示す一部に透視図を含む側面図である。なお、第１の実施形態と同様の構成については第１の実施形態と同一符号を付す。
【００４６】
第２の実施形態では、メインアンテナ１１３及びサブアンテナ１１４が、受話筐体５の連結部７とは反対側の端部側に内蔵されている。従って、メインアンテナ１１３及びサブアンテナ１１４は、携帯電話機１０２の開閉動作に伴ってスピーカー２３に対する位置が変化する。具体的には、メインアンテナ１１３及びサブアンテナ１１４は、連結部７を中心とする円周上において移動し、スピーカー２３に対する鉛直方向の位置及び水平方向の位置が変化する。
【００４７】
第２の実施形態によれば、第１の実施形態と同様に、メインアンテナ１１３及びサブアンテナ１１４は、携帯電話機１０２の筐体のなかで、スピーカー２３に離れた位置に配置されており、アンテナ利得に与える影響を抑制できる。
【００４８】
さらに、携帯電話機１０２の開閉動作に伴い、メインアンテナ１１３及びサブアンテナ１１４の位置を変更することができるから、スピーカー２３が利得に影響を与えない任意の位置にメインアンテナ１１３及びサブアンテナ１１４を位置させることが可能となる。
【００４９】
例えば、携帯電話機１０２の受話筐体５を閉状態と開状態との間で移動させることにより、メインアンテナ１１３及びサブアンテナ１１４と、スピーカー２３との鉛直方向の距離を閉状態よりも大きくすることができ、スピーカー２３がアンテナの利得に与える影響を好適に抑制できる。
【００５０】
（第３の実施形態）
図６は、本発明の第３の実施形態に係る携帯電話機１０２及びクレードル装置２０３を備えた音響装置２０１を示す側面図である。なお、第１及び第２の実施形態と同様の構成については第１及び第２の実施形態と同一符号を付す。
【００５１】
第３の実施形態の携帯電話機１０２は、第２の実施形態と同様に、クレードル装置２０３に対する位置が開閉に伴い変化する受話筐体５にメインアンテナ１１３及びサブアンテナ１１４が設けられており、その位置は連結部７とは反対側の端部である。
【００５２】
一方、クレードル装置２０３のスピーカー２２３は、クレードル装置２０３の筐体２１８の傾斜面２１８ｃの下方側に配置されている。すなわち、携帯電話機１０２の連結部７とは反対側に位置している。
【００５３】
従って、図６（ａ）に示すように、携帯電話機１０２の閉状態においては、メインアンテナ１１３及びサブアンテナ１１４は、スピーカー２２３に比較的近い位置に配置され、その一方で、図６（ｂ）に示すように、携帯電話機１０２の開状態においては、メインアンテナ１１３及びサブアンテナ１１４は、スピーカー２２３から比較的離れた位置に配置される。
【００５４】
第３の実施形態によれば、開状態では、メインアンテナ１１３及びサブアンテナ１１４は、携帯電話機１０２の筐体のなかで、スピーカー２２３に離れた位置に配置されており、第１の実施形態と同様に、アンテナ利得に与える影響を抑制できる。
【００５５】
さらに、携帯電話機１０２の開閉動作に伴い、メインアンテナ１１３及びサブアンテナ１１４の位置を変更することができ、第２の実施形態と同様に、スピーカー２２３が利得に影響を与えない位置にメインアンテナ２１３及びサブアンテナ２１４を位置させることが可能となる。
【００５６】
また、スピーカー２２３は、連結部７から離れた位置に配置されているから、開状態においては、第２の実施形態よりもメインアンテナ１１３及びサブアンテナ１１４をスピーカー２２３よりも離すことができ、開状態のアンテナ利得が第２の実施形態よりも向上する。なお、第２の実施形態も、閉状態においてもある程度のアンテナ利得を確保することができる等の効果を奏するから、想定される使用状態の頻度や需要等に応じて第２の実施形態及び第３の実施形態のいずれが採用されてもよい。
【００５７】
（第４の実施形態）
図７は、本発明の第４の実施形態に係る携帯電話機３０２及びクレードル装置３０３を備えた音響装置３０１を示す側面図である。
【００５８】
携帯電話機３０２は、いわゆるストレートタイプの携帯電話機として構成されており、一の筐体３０５と、筐体３０５の下端に内蔵されたアンテナ３１３を備えている。クレードル装置３０３は、携帯電話機３０２からの音響信号に基づく音響を出力するスピーカー３２３を備えており、スピーカー３２３は、アンテナ３１３に対して上方側に位置するように配置されており、鉛直方向の位置が異なっている。
【００５９】
第４の実施形態においても、アンテナ３１３がクレードル装置３０３のスピーカー３２３から離れた位置に配置されるので、第１の実施形態と同様に、スピーカー３２３がアンテナ利得に与える影響を抑制できる。特に、第４の実施形態では、アンテナ３１３と、スピーカー３２３との鉛直方向の距離が、第１の実施形態よりも大きくなるように配置されており、水平方向においてスピーカー３２３がアンテナ３１３の指向性に及ぼす影響がより抑制される。
【００６０】
本発明は以上の実施形態に限定されず、種々の態様で実施してよい。
【００６１】
通信端末装置のアンテナ及びクレードル装置のスピーカーは、互いに離間されるようにスピーカー及びアンテナとの少なくとも一方が配置構成されていればよい。すなわち、アンテナが、通信端末装置の筐体のなかでスピーカーから離れた位置に配置されるか、スピーカーがクレードル装置の筐体のなかでアンテナから離れた位置に配置されればよい。
【００６２】
例えば、通信端末装置の筐体のなかでスピーカーから離れた位置（アンテナの配置位置）は、スピーカーが通信端末装置の筐体中央から筐体の一方の端部側に位置するのであれば、通信端末装置の筐体中央から他方の端部までの範囲のいずれかの位置であり、好適には他方の端部である。また、スピーカーが通信端末装置の筐体中央近傍に位置するのであれば、通信端末装置の筐体の一方の端部寄りの位置及び他方の端部寄りの位置であり、好適には一方の端部及び他方の端部である。クレードル装置の筐体のなかでアンテナから離れた位置（スピーカーの配置位置）も同様である。
【００６３】
通信端末装置が開閉可能である場合には、閉状態を基準にしてスピーカーとアンテナとが離れているか否かを判断してもよいし、開状態を基準にしてスピーカーとアンテナとが離れているか否かを判断してもよいし、開状態及び閉状態の双方を基準にしてスピーカーとアンテナとが離れているか否かを判断してもよい。
【００６４】
開閉可能な通信端末装置は、少なくとも２つの筐体の互いに重なる面積が変化するものであればよく、折り畳み式のものに限定されない。例えば、２つの筐体が互いに平行移動するスライド式のものでもよいし、２つの筐体が互いの積層方向を回転軸方向として回転しつつスライドするリボルバー式のものでもよい。
【００６５】
第２筐体のうち、第１筐体がクレードル装置に載置された状態での通信端末装置の開閉に伴いスピーカーに対する位置が変化する部位は、連結部と反対側の筐体端部に限定されない。第１筐体及び第２筐体が相対回転可能に連結されている場合には、回転軸から離れた部位であればよいし、第１筐体及び第２筐体が平行移動可能に連結されている場合にはいずれの部位でもよい。
【００６６】
通信端末装置のアンテナは、筐体のなかでスピーカと離れた位置に配置されていれば、筐体に内蔵されるものであってもよいし、筐体外部に突出するものであってもよい。
【図面の簡単な説明】
【００６７】
【図１】本発明の第１の実施形態に係る携帯電話機及びクレードル装置を示す一部に透視図を含む正面図。
【図２】図１の携帯電話機をクレードル装置に載置した状態を示す一部に透視図を含む正面図。
【図３】図１の携帯電話機をクレードル装置に載置した状態を示す一部に透視図を含む側面図。
【図４】図１の携帯電話機及びクレードル装置の信号処理系の構成を示すブロック図。
【図５】本発明の第２の実施形態に係る携帯電話機及びクレードル装置を示す一部に透視図を含む側面図。
【図６】本発明の第３の実施形態に係る携帯電話機及びクレードル装置を示す一部に透視図を含む側面図。
【図７】本発明の第４の実施形態に係る携帯電話機及びクレードル装置を示す一部に透視図を含む側面図。
【符号の説明】
【００６８】
２…携帯端末装置、３…クレードル装置、５…受話筐体、６…送話筐体、１３…メインアンテナ、２３…スピーカー、３６…音響信号端子（音響出力手段）。
【図１】
0004563299.tif 000002
【図２】
0004563299.tif 000003
【図３】
0004563299.tif 000004
【図４】
0004563299.tif 000005
【図５】
0004563299.tif 000006
【図６】
0004563299.tif 000007
【図７】
0004563299.tif 000008